【手続補正書】
【提出日】平成20年9月1日(2008.9.1)
【手続補正１】
【補正対象書類名】明細書
【補正対象項目名】発明の名称
【補正方法】変更
【補正の内容】
【発明の名称】プリンタ、システムおよびメディアパック
【手続補正２】
【補正対象書類名】明細書
【補正対象項目名】特許請求の範囲
【補正方法】変更
【補正の内容】
【特許請求の範囲】
【請求項１】  記録媒体から画像データを読み出す読み出し手段と、
係数を用いて前記画像データに対して画像処理を行う画像処理手段と、
前記画像処理手段により画像処理された画像データをメディアパックに収容した消耗材を用いてプリントするプリント手段とを備えるプリンタであって、
前記メディアパックに設けられたメモリから前記消耗材の充填又は製造が行われた時を示す日時情報を読み出し、前記日時情報に基づいて前記係数を変更する制御手段
を有することを特徴とするプリンタ。
【請求項２】  前記メモリにエラー情報を記憶する記憶手段と、
前記メモリにエラー情報が記憶されていると検知された場合に、エラー画像を表示装置に表示させる表示制御手段とを有し、
前記表示制御手段は、プリントモードにおいて表示するエラー画像と、プリントモード以外で表示するエラー画像を異ならせることを特徴とする請求項１記載のプリンタ。
【請求項３】  前記消耗材はインクとプリント媒体であることを特徴とする請求項１記載のプリンタ。
【請求項４】  プリンタとカメラからなるシステムであって、
前記カメラの撮像手段により得られた画像データを記録媒体に記録する記録手段と、
前記記録媒体から前記画像データを読み出す読み出し手段と、
係数を用いて前記画像データに対して画像処理を行う画像処理手段と、
前記画像処理手段により画像処理された画像データを、前記プリンタに装着されたメディアパックに収容した消耗材を用いてプリントするプリント手段とを備えるシステムであって、
前記メディアパックに設けられたメモリより前記消耗材の充填又は製造が行われた時を示す日時情報を読み出し、前記日時情報に基づいて前記係数を変更する制御手段を有することを特徴とするシステム。
【請求項５】  前記メモリにエラー情報を記憶する記憶手段と、
前記メモリにエラー情報が記憶されていると検知された場合に、エラー画像を表示装置に表示させる表示制御手段とを有し、
前記表示制御手段は、プリントモードにおいて表示するエラー画像と、プリントモード以外で表示するエラー画像を異ならせることを特徴とする請求項４記載のシステム。
【請求項６】  前記消耗材はインクとプリント媒体であることを特徴とする請求項４記載のシステム。
【請求項７】  前記表示装置は、前記撮像手段により得られた画像データを表示することを特徴とする請求項４記載のシステム。
【請求項８】  前記カメラは、前記撮像手段により得られた画像データに対して、付加する時刻情報を計時する時計を有し、
前記制御手段は、前記日時情報と前記時刻情報とに基づいて前記係数を変更することを特徴とする請求項４記載のシステム。
【請求項９】  請求項１または４記載のプリンタに装着可能なメディアパックであって、
消耗材を収容する収容部と、
前記消耗材の充填又は製造が行われた時を示す日時情報を記憶するメモリと
を有することを特徴とするメディアパック。
【手続補正３】
【補正対象書類名】明細書
【補正対象項目名】０００１
【補正方法】変更
【補正の内容】
【０００１】
【発明の属する技術分野】
本発明は、メディアパックを着脱可能なプリンタ、システム及びメディアパックに関する。
【手続補正４】
【補正対象書類名】明細書
【補正対象項目名】０００６
【補正方法】変更
【補正の内容】
【０００６】
本発明の目的は、メディアパックを使用する際に、経過期間に応じた消耗材の特性の変化を補正した画像処理を行うことができるプリンタ及びシステムを提供することにある。
【手続補正５】
【補正対象書類名】明細書
【補正対象項目名】０００７
【補正方法】変更
【補正の内容】
【０００７】
本発明の他の目的は、プリンタが、経過期間に応じた消耗材の特性の変化を補正した最適な特性のプリントを行うことができるメディアパックを提供することにある。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
【課題を解決するための手段】
本発明は、上記目的を達成するため、記録媒体から画像データを読み出す読み出し手段と、係数を用いて前記画像データに対して画像処理を行う画像処理手段と、前記画像処理手段により画像処理された画像データをメディアパックに収容した消耗材を用いてプリントするプリント手段とを備えるプリンタであって、前記メディアパックに設けられたメモリから前記消耗材の充填又は製造が行われた時を示す日時情報を読み出し、前記日時情報に基づいて前記係数を変更する制御手段を有することを特徴とする。
【手続補正９】
【補正対象書類名】明細書
【補正対象項目名】００１１
【補正方法】変更
【補正の内容】
【００１１】
本発明は、上記目的を達成するため、プリンタとカメラからなるシステムであって、前記カメラの撮像手段により得られた画像データを記録媒体に記録する記録手段と、前記記録媒体から前記画像データを読み出す読み出し手段と、係数を用いて前記画像データに対して画像処理を行う画像処理手段と、前記画像処理手段により画像処理された画像データを、前記プリンタに装着されたメディアパックに収容した消耗材を用いてプリントするプリント手段とを備えるシステムであって、前記メディアパックに設けられたメモリより前記消耗材の充填又は製造が行われた時を示す日時情報を読み出し、前記日時情報に基づいて前記係数を変更する制御手段を有することを特徴とする。
【手続補正１０】
【補正対象書類名】明細書
【補正対象項目名】００１２
【補正方法】変更
【補正の内容】
【００１２】
本発明は、上記他の目的を達成するため、請求項１または４記載のプリンタに装着可能なメディアパックであって、消耗材を収容する収容部と、前記消耗材の充填又は製造が行われた時を示す日時情報を記憶するメモリとを有することを特徴とする。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】削除
【補正の内容】
【手続補正３２】
【補正対象書類名】明細書
【補正対象項目名】００３４
【補正方法】削除
【補正の内容】
【手続補正３３】
【補正対象書類名】明細書
【補正対象項目名】００３５
【補正方法】削除
【補正の内容】
【手続補正３４】
【補正対象書類名】明細書
【補正対象項目名】００３６
【補正方法】削除
【補正の内容】
【手続補正３５】
【補正対象書類名】明細書
【補正対象項目名】００３７
【補正方法】削除
【補正の内容】
【手続補正３６】
【補正対象書類名】明細書
【補正対象項目名】００３８
【補正方法】削除
【補正の内容】
【手続補正３７】
【補正対象書類名】明細書
【補正対象項目名】０１２９
【補正方法】変更
【補正の内容】
【０１２９】
【発明の効果】
本発明のプリンタ及びシステムによれば、メディアパックを使用する際に、経過期間に応じた消耗材の特性の変化を補正した画像処理を行うことができる。
【手続補正３８】
【補正対象書類名】明細書
【補正対象項目名】０１３０
【補正方法】変更
【補正の内容】
【０１３０】
本発明のメディアパックによれば、プリンタが、経過期間に応じた消耗材の特性の変化を補正した最適な特性のプリントを行うことができる。
【手続補正３９】
【補正対象書類名】明細書
【補正対象項目名】０１３１
【補正方法】削除
【補正の内容】
【手続補正４０】
【補正対象書類名】明細書
【補正対象項目名】０１３２
【補正方法】削除
【補正の内容】
【手続補正４１】
【補正対象書類名】明細書
【補正対象項目名】０１３３
【補正方法】削除
【補正の内容】